(57)【要約】【課題】  油を使用することなく、皿ばねの端部に摩耗が生じるのを防止し、皿ばねの錆による機能の低下を防止する。【解決手段】  一端部が地盤４０に定着され、他端部が地表４３から露出するテンドン２と、テンドン２の他端部と地表４３との間に設けられ、テンドン２を緊張させた状態に保持する定着具７と、定着具７に設けられてテンドン２の緊張力を地表４３側に伝達させるとともに、地盤４０の変動によるテンドン２の緊張力の変動を吸収する皿ばね１９とを備える。定着具７と皿ばね１９との間には、皿ばね１９の定着具７との接触部を被覆するカバー２７、３４が設けられ、このカバー２７、３４により皿ばね１９の定着具７との接触部が摩耗するのが防止される。【選択図】    図１
2006009318.tif 000002
【特許請求の範囲】
【請求項１】
一端部が地盤に定着され、他端部が地表から露出するテンドンと、該テンドンの他端部と前記地表との間に設けられ、該テンドンを緊張させた状態に保持する定着具と、該定着具に設けられて前記テンドンの緊張力を地表側に伝達させるとともに、地盤の変動によるテンドンの緊張力の変動を吸収する弾性部材とを備えたグラウンドアンカーであって、
前記定着具と前記弾性部材との間に、前記弾性部材の前記定着具との接触部を被覆するカバーを設けたことを特徴とするグラウンドアンカー。
【請求項２】
前記定着具は、前記テンドンの他端部に固着される第１定着板と、地表に固着される第２定着板とを有し、前記第１定着板と前記第２定着板との間に、前記弾性部材が前記テンドンの軸線方向に弾性変形可能に介装されていることを特徴とする請求項１に記載のグラウンドアンカー。
【請求項３】
前記弾性部材は、前記第１定着板と前記第２定着板との間に介装される一つの皿ばねからなり、該皿ばねと第１定着板との間及び該皿ばねと第２定着板との間に、該皿ばねの第１定着板との接触部及び該皿ばねの第２定着板との接触部を被覆するカバーがそれぞれ設けられていることを特徴とする請求項２に記載のグラウンドアンカー。
【請求項４】
前記弾性部材は、前記第１定着板と前記第２定着板との間に直列に介装される複数の皿ばねからなり、第１定着板側の皿ばねと第１定着板との間、隣接する皿ばね間、及び第２定着板側の皿ばねと第２定着板との間に、第１定着板側の皿ばねの第１定着板との接触部、隣接する皿ばねの相手方との接触部、及び第２定着板側の皿ばねの第２定着板との接触部を被覆するカバーがそれぞれ設けられていることを特徴とする請求項２に記載のグラウンドアンカー。
【請求項５】
前記カバーは、前記皿ばねの荷重―変位曲線に対して与える影響が５％未満となる断面形状に形成されていることを特徴とする請求項３又は４に記載のグラウンドアンカー。
【発明の詳細な説明】
【技術分野】
【０００１】
本発明は、グラウンドアンカーに関し、特に、地盤の変動によるテンドンの緊張力の変動を吸収する弾性部材を備えたグラウンドアンカーに関する。
【背景技術】
【０００２】
この種のグラウンドアンカーの一例として、図１０に示すように、一端部が地盤４０に定着され、他端部が地表から露出するテンドン５２と、テンドン５２の他端部と地表との間に設けられ、テンドン５２を緊張させた状態に保持する定着具５７と、定着具５７に装着されてテンドン５２の緊張力を地表に伝達させるとともに、地盤４０の変動によるテンドン５２の緊張力の変動を吸収する弾性部材６８とを備えたグラウンドアンカー５０が提案されている。
【０００３】
この場合、定着具５７は、テンドン５２側に固着される第１定着板５８と、地表側に固着される第２定着板６５とを有し、この第１定着板５８と第２定着板６５との間に弾性部材６８である一つの皿ばね６９が介装されている。
【０００４】
また、グラウンドアンカーの他の例として、図１１に示すように、定着具５７の第１定着板５８と第２定着板６５との間に２つの皿ばね６９、６９を直列に介装させて弾性部材６８を構成したグラウンドアンカー５０が提案されている。
【０００５】
上記のような構成のグラウンドアンカー５０にあっては、テンドン５２の緊張力を第１定着板５８、皿ばね、及び第２定着板６５を介して地表側に伝達させることにより、切土法面等の地すべり防止対策等を図ることができる。また、凍土、融解等によって地盤が変動した場合であっても、その変動に追従して皿ばね６９が伸縮変形することにより、地盤の変動に影響されることなくテンドン５２の緊張力を地盤側に確実に伝達させることができ、長期的に切土法面等の地すべり防止対策等を図ることができるものである（例えば、特許文献１、特許文献２参照。）。
【特許文献１】特開２００３−１８４０８０
【特許文献２】特開２００３−１８４０８１
【発明の開示】
【発明が解決しようとする課題】
【０００６】
しかし、上記のような構成のグラウンドアンカー５０にあっては、皿ばね６９と第１定着板５８との間、皿ばね６９と第２定着板６５との間、及び隣接する皿ばね６９と皿ばね６９との間に何も設けられていないため、皿ばね６９が伸縮変形した場合に、皿ばね６９が水平方向、円周方向に変位することにより、皿ばね５９の端部が第１定着板５８、第２定着板６５、又は隣接する皿ばね６９の端部と摺動し、その部分に摩耗が生じてしまう。このような摩耗が皿ばね６９の端部に生じると、皿ばね６９の表面に塗布されている防錆用の塗装が剥がれてしまい、錆の発生原因となる。グラウンドアンカー５０は、テンドン５２に大きな緊張力を与えて使用することが多く、また屋外で使用することが多いため、錆に対する環境条件が極めて厳しく、長期的に見た場合、端部の塗装の損傷により生じた錆が次第に皿ばね６９の全体に拡大し、皿ばね６９の強度に影響を及ぼしてしまう。また、皿ばね６９は、高品質のばね鋼で形成されているため、錆が生じることにより、皿ばね６９としての機能が大幅に低下してしまう。
【０００７】
一方、皿ばね６９に錆が生じるのを防止するため、図１２に示すように、地表に敷設した受圧板５５の凹部５６内にテンドン５２の他端部、第１定着板５８、皿ばね６９、及び第２定着板６５を収納し、凹部５６内に油を充填して開口部を蓋６０で閉塞することにより、皿ばね６９に錆が生じるのを防止するように構成したグラウンドアンカー５０が提案されている。
【０００８】
しかし、上記のような構成のグラウンドアンカー５０にあっては、皿ばね６９を収納する凹部５６の体積が大きいため、大量の油が必要となり、コストが高くついてしまう。また、第１定着板５８と第２定着板６５とによって閉じられた部分に皿ばね６９が位置しているため、その部分への油の充填が難しく、皿ばね６９の端部に十分な量の油を供給することができない。このため、油を充填する場合にも、皿ばね６９の表面に塗料を塗布して防錆対策を施す必要があり、却ってコストが高くついてしまう。
【０００９】
本発明は、上記のような従来の問題に鑑みなされたものであって、油を使用することになく、また皿ばねの表面に塗装を施すことなく、皿ばねの端部に摩耗が生じるのを確実に防止でき、これにより、コストを高くすることなく、長期的に安定した性能が得られるグランドアンカーを提供することを目的とするものである。
【課題を解決するための手段】
【００１０】
本発明は、上記のような課題を解決するために、以下のような手段を採用している。
すなわち、請求項１に係る発明は、一端部が地盤に定着され、他端部が地表から露出するテンドンと、該テンドンの他端部と前記地表との間に設けられ、該テンドンを緊張させた状態に保持する定着具と、該定着具に設けられて前記テンドンの緊張力を地表側に伝達させるとともに、地盤の変動によるテンドンの緊張力の変動を吸収する弾性部材とを備えたグラウンドアンカーであって、前記定着具と前記弾性部材との間に、前記弾性部材の前記定着具との接触部を被覆するカバーを設けたことを特徴とする。
本発明によるグラウンドアンカーによれば、弾性部材の定着具との接触部はカバーで被覆されることになるので、地盤の変動により弾性部材が弾性変形しても、弾性部材が定着具と摺動するようなことはなく、弾性部材に摩耗が生じるようなことはない。
【００１１】
請求項２に係る発明は、請求項１に記載のグラウンドアンカーであって、前記定着具は、前記テンドンの他端部に固着される第１定着板と、地表に固着される第２定着板とを有し、前記第１定着板と前記第２定着板との間に、前記弾性部材が前記テンドンの軸線方向に弾性変形可能に介装されていることを特徴とする。
本発明によるグラウンドアンカーによれば、テンドンの緊張力は、第１定着板、弾性部材、及び第２定着板を介して地盤側に伝達される。また、地盤変動が生じた場合には、弾性部材が第１定着板と第２定着板との間でテンドンの軸線方向に伸縮変形することにより、地盤変動によるテンドンの緊張力の変動が吸収されることになる。
【００１２】
請求項３に係る発明は、請求項２に記載のグラウンドアンカーであって、前記弾性部材は、前記第１定着板と前記第２定着板との間に介装される一つの皿ばねからなり、該皿ばねと第１定着板との間及び該皿ばねと第２定着板との間に、該皿ばねの第１定着板との接触部及び該皿ばねの第２定着板との接触部を被覆するカバーがそれぞれ設けられていることを特徴とする。
本発明によるグラウンドアンカーによれば、皿ばねの第１定着板との接触部、及び皿ばねの第２定着板との接触部はそれぞれカバーで被覆されることになるので、第１定着板と第２定着板との間で皿ばねが伸縮変形しても、皿ばねの第１定着板との接触部及び第２定着板との接触部が摩耗するようなことはない。
【００１３】
請求項４に係る発明は、請求項２に記載のグラウンドアンカーであって、前記弾性部材は、前記第１定着板と前記第２定着板との間に直列に介装される複数の皿ばねからなり、第１定着板側の皿ばねと第１定着板との間、隣接する皿ばね間、及び第２定着板側の皿ばねと第２定着板との間に、第１定着板側の皿ばねの第１定着板との接触部、隣接する皿ばねの相手方との接触部、及び第２定着板側の皿ばねの第２定着板との接触部を被覆するカバーがそれぞれ設けられていることを特徴とする。
本発明によるグラウンドアンカーによれば、第１定着板側の皿ばねの第１定着板との接触部、隣接する皿ばねの相手方との接触部、及び第２定着板側の皿ばねの第２定着板との接触部はそれぞれカバーで被覆されることになるので、第１定着板と第２定着板との間で皿ばねが伸縮変形しても、第１定着板側の皿ばねの第１定着板との接触部、隣接する皿ばねの相手方皿ばねとの接触部、第２定着板側の皿ばねの第２定着板との接触部が摩耗するようなことはない。
【００１４】
請求項５に係る発明は、請求項３又は４に記載のグラウンドアンカーであって、前記カバーは、前記皿ばねの荷重―変位曲線に対して与える影響が５％未満となる断面形状に形成されていることを特徴とする。
本発明によるグラウンドアンカーによれば、第１定着板側の皿ばねの第１定着板との接触部、隣接する皿ばねの相手方皿ばねとの接触部、及び第２定着板側の皿ばねの第２定着板との接触部をカバーで被覆しても、皿ばねの荷重―変位曲線にほとんど影響を与えることがないので、皿ばねの本来の特性がカバーによって阻害されるようなことはない。
【発明の効果】
【００１５】
以上、説明したように、本発明のグランドアンカーによれば、弾性部材の定着具との接触部、すなわち皿ばねの第１定着板との接触部及び第２定着板との接触部はカバーで被覆され、また隣接する皿ばねの相手方皿ばねとの接触部もカバーで被覆されることになるので、地盤の変動によって弾性部材（皿ばね）が弾性変形して径方向、円周方向に変位しても、弾性部材（皿ばね）の定着具（第１定着板及び第２定着板）との接触部、及び隣接する皿ばねの相手方皿ばねとの接触部が摩耗するようなことはない。従って、弾性部材（皿ばね）、定着具（第１定着板及び第２定着板）等を油に浸漬させる必要はなく、また弾性部材（皿ばね）の表面に塗装を施す必要もないので、コストを高くすることなく、長期的に安定した性能が得られることになる。
また、カバーによって皿ばねの特性（荷重―変位曲線）が受ける影響は非常に小さいので、所望の性能が確実に得られることになる。
【発明を実施するための最良の形態】
【００１６】
以下、図面に示す本発明の実施の形態について説明する。
図１〜図６には、本発明によるグラウンドアンカーの第１の実施の形態が示されていて、図１はグラウンドアンカーの略全体を示す縦断面図、図２は図１の皿ばねの斜視図、図３は図２のＡ−Ａ線断面図、図４は第２カバーの断面図、図５は図４のＢ部の拡大図、図６は第２カバーの変形例の部分拡大図、図７は第２カバーの断面図、図８は図７のC部の拡大図である。
【００１７】
すなわち、このグラウンドアンカー１は、切土法面等の地すべり対策等に利用されるものであって、図１に示すように、対象箇所の地盤４０に打設されるテンドン２と、テンドン２を緊張させた状態に保持する定着具７と、テンドン２の緊張力を地盤４０側に伝達させるとともに、地盤４０の変動によるテンドン２の緊張力の変動を吸収する弾性部材１８とを備えている。
【００１８】
テンドン２は、複数本のＰＣ鋼撚り線等の線状部材３からなるものであって、筒状のシース４内に収納された状態で地盤４０の削孔４１内に挿入されている。テンドン２の各線状部材３は、一端部（下端部）がシース４と共にグラウド（図示せず）によって地盤４０の深層部（図示せず）に定着され、他端部（上端部）が受圧板５を貫通して地表４３から露出している。
【００１９】
テンドン２の地表４３から露出している他端部と地表４３との間には定着具７が設けられている。定着具７は、図１に示すように、テンドン２の他端部に固着される第１定着板８と、第１定着板８の上部に密着した状態で設けられる支圧板１１と、支圧板１１にテンドン２を固定するチャック１３と、地表４３に敷設されている受圧板５の上部に固着される第２定着板１５とを備えている。
【００２０】
第２定着板１５は、金属製の板状をなすものであって、中心部に上下面間を貫通する貫通孔１６が設けられ、この貫通孔１６内に筒状の金属製の案内パイプ１７の上端部が下方から挿入され、案内パイプ１７と第２定着板１５との間は溶接等によって一体に連結されている。
【００２１】
受圧板５は、コンクリート等から形成されるものであって、中心部に上下面間を貫通する支持孔６が設けられ、この支持孔６内に上方から案内パイプ１７を挿入させることにより、第２定着板１５が受圧板５の上部に固着される。案内パイプ１７の下端部は、受圧板５の支持孔６内に挿入されているシース４の上端部に溶接等により一体に連結されている。
【００２２】
第１定着板８は、金属製の板状をなすものであって、中心部に上下面間を貫通する貫通孔９が設けられている。第１定着板８の下面側の貫通孔９の周縁部には筒状のスライドパイプ１０の上端部が溶接等により一体に連結され、このスライドパイプ１０は、第２定着板１５の案内パイプ１７の内側に上方からスライド自在に挿入されている。
【００２３】
支圧板１１は、板状をなすものであって、第１定着板８の上部に貫通孔９を閉塞するように密着した状態で設けられている。支圧板１１の複数箇所には、上下面間を貫通するテンドン支持孔１２が設けられ、各テンドン支持孔１２内をテンドン２の各線状部材３が挿通している。各テンドン支持孔１２の上端開口部は、内周面が所定の角度のテーパ面に形成され、この上端開口部に後述するチャック１３が係合可能に構成されている。
【００２４】
チャック１３は、複数の楔状の爪１４を組み合わせて構成したものであって、各爪１４の外面は支圧板１１のテンドン支持孔１２の上端開口部のテーパ面に合致するテーパ面に形成され、各爪１４の内面にはテンドン２の線状部材３の外面に噛み込ませるための凹凸が設けられている。
【００２５】
支圧板１１の各テンドン支持孔１２内にテンドン２の線状部材３を挿通させ、各線状部材３をジャッキ（図示せず）により緊張させた状態で、各線状部材３の外周面と各テンドン支持孔１２の内周面との間にチャック１３を打ち込むことにより、各線状部材３の他端部がチャック１３及び支圧板１１を介して第１定着板８に支持され、各線状部材３が緊張された状態に保持される。
【００２６】
弾性部材１８は、図１及び図２に示すように、皿ばね１９であって、ばね鋼等を素材として切頭円錐板状に形成されている。皿ばね１９の中心部には、上下面間を貫通する貫通孔２０が設けられ、この貫通孔２０内に第１定着板８のスライドパイプ１０を挿通させることにより、皿ばね１９が第１定着板８と第２定着板１５との間に介装される。
【００２７】
皿ばね１９は、頂部が第１定着板８側に位置し、底部が第２定着板１５側に位置するように、両定着板８、１５間に介装されている。皿ばね１９は、頂部側の端面２１及び底部側の端面２２が内周面２３及び外周面２４と直交する平面に形成され、頂部側の端面２１と外周面２４とが交差する角部２５が第１定着板８の下面側に接触し、底部側の端面２２と内周面２３とが交差する角部２６が第２定着板１５の上面側に接触している。
【００２８】
皿ばね１９の頂部と第１定着板８との間、皿ばね１９の底部と第２定着板１５との間には、それぞれ第１カバー２７及び第２カバー３４が介装され、これらの第１カバー２７及び第２カバー３４によって皿ばね１９の頂部の上端側の角部２５（第１定着板８との接触部２５）、及び皿ばね１９の底部の下端側の角部２６（第２定着板１５との接触部２６）が被覆される。
【００２９】
第１カバー２７は、図４及び図５に示すように、テーパ筒状の筒状部２８と、筒状部２８の上端に一体に設けられる環状のフランジ部３０とからなる断面略Ｌ形状をなすものであって、筒状部２８とフランジ部３０との境界部は所定の曲率のアール面３２に形成されている。第１カバー２７は、上記の形状に限らず、皿ばね１９の特性（荷重―変位曲線）に対して、与える影響が５％未満となるような形状であれば良い。
【００３０】
第１カバー２７は、筒状部２８を皿ばね１９の貫通孔２０内に嵌合させることにより皿ばね１９の頂部に装着される。この場合、第１カバー２７の筒状部２８の外周面２９が皿ばね１９の頂部の端面２１の上端部に接触することによりその部分が被覆され、第１カバー２７のフランジ部３０の下面３１が皿ばね１９の外周面２４の上端部に接触することによりその部分が被覆される。
【００３１】
皿ばね１９の頂部に第１カバー２７を装着することにより、第１カバー２７の上端部が第１定着板８の下面側に接触する。この場合、第１カバー２７の第１定着板８との接触部は、図５に示すように、所定の曲率のアール面３２に形成され、皿ばね１９が弾性変形する際に、第１定着板８との間の摩擦抵抗を低減させている。第１カバー２７の第１定着板８との接触部は、図６に示すように、第１定着板８の下面に略平行な平面３３に形成しても良い。
【００３２】
第２カバー３４は、図７及び図８に示すように、環状のフランジ部３５と、フランジ部３５の外周端に一体に設けられるテーパ筒状の筒状部３６とからなる断面略Ｌ形状をなすものであって、フランジ部３５と筒状部３６との境界部は所定の曲率のアール面３７に形成されている。第２カバー３４は、上記の形状に限らず、皿ばね１９の特性（荷重―変位曲線）に対して、与える影響が５％未満となるような形状であれば良い。
【００３３】
第２カバー３４は、フランジ部３５の上面側を皿ばね１９の底部の内周面２３側に嵌合させることにより皿ばね１９の底部に装着される。この場合、第２カバー３４のフランジ部３５の上面が皿ばね１９の底部の内周面２３の下端部に接触することによりその部分が被覆され、第２カバー３４の筒状部３６の内周面が皿ばね１９の底部の端面２２の下端部に接触することによりその部分が被覆される。
【００３４】
皿ばね１９の底部に第２カバー３４を装着することにより、第２カバー３４の下端部が第２定着板１５の上面側に接触する。この場合、第２カバー３４の第２定着板１５との接触部は、図８に示すように、所定の曲率のアール面３７に形成され、皿ばね１９が弾性変形する際に、第２定着板１５との間の摩擦抵抗を低減させている。第２カバー３４の第２定着板１５との接触部は、図示はしないが、第２定着板１５の下面に略平行な平面に形成しても良い。
【００３５】
第１カバー２７及び第２カバー３４の素材としては、例えばステンレス鋼が挙げられる。但し、これに限定することなく、耐食性に優れた素材であれば良い。第１カバー２７及び第２カバー３４の表面に必要に応じて四フッ化エチレン樹脂等のコーティングを施し、潤滑性を高めても良い。
【００３６】
上記のように構成したこの実施の形態によるグラウンドアンカー１にあっては、テンドン２の緊張力を定着具７及び弾性部材１８である皿ばね１９を介して地盤４０側に伝達することにより、地盤４０の表層部４２が深層部と受圧板５との間で圧縮され、表層部４２に地すべり等が生じるのが防止される。
【００３７】
そして、凍土、融解等の地盤４０の変動が生じた場合には、地盤４０の変動に追従して皿ばね１９がテンドン２の軸線方向に伸縮変形することにより、その変動が吸収されてテンドン２の緊張力が変動するのが防止され、テンドン２の緊張力が過大になってテンドン２が破損等するのを防止する。
【００３８】
この場合、皿ばね１９は、伸縮変形することによって径方向、円周方向に変位することになるが、皿ばね１９の頂部側の角部２５（第１定着板８との接触部）は第１カバー２７で被覆され、皿ばね１９の底部側の角部２６（第２定着板１５との接触部）は第２カバー３４で被覆されているので、皿ばね１９の頂部側の角部２５及び底部側の角部２６が第１定着板８及び第２定着板１５と直接摺動するようなことはない。
【００３９】
従って、皿ばね１９の頂部側の角部２５が第１定着板８と摺動して摩耗が生じるようなことはなく、また、底部側の角部２６が第２定着板１５と摺動して摩耗が生じるようなことはないので、皿ばね１９に摩耗による錆が生じるようなことはなく、錆による皿ばね１９の強度の低下、機能の低下を防止できることになる。この結果、皿ばね１９の特性を十分に発揮させることができるので、グラウンドアンカー１としての安定した機能を長期的に発揮できることになる。
【００４０】
さらに、皿ばね１９の表面に塗装を塗布したり、皿ばね１９、第１定着板８、第２定着板１５等を油に浸漬させる必要もないので、コストを大幅に削減することができることになる。
【００４１】
図９には、本発明によるグラウンドアンカーの第２の実施の形態が示されていて、このグラウンドアンカー１は、定着具７の第１定着板８と第２定着板１５との間に、２つ皿ばね１９、１９を直列に設けて弾性部材１８を構成し、上側の皿ばね１９と第１定着板８との間に第１カバー２７を介装させ、上側の皿ばね１９と下側の皿ばね１９との間に２つの第２カバー３４、３４を介装させ、下側の皿ばね１９と第２定着板１５との間に第１カバー２７を介装させたものであって、その他の構成は前記第１の実施の形態に示すものと同様である。
【００４２】
この場合、上側の皿ばね１９の第１定着板８との接触部２５は第１カバー２７で被覆され、下側の皿ばね１９の第２定着板１５との接触部２５は第１カバー２７で被覆され、上側の皿ばね１９の下側の皿ばね１９との接触部２６は第２カバー３４で被覆され、下側の皿ばね１９の上側の皿ばね１９との接触部２６は第２カバー３４で被覆されている。
【００４３】
そして、この実施の形態に示すグラウンドアンカー１にあっても、前記第１の実施の形態に示すものと同様に、凍土、融解等の地盤４０の変動が生じた場合には、地盤４０の変動に追従して２つの皿ばね１９、１９がテンドン２の軸線方向に伸縮変形することにより、その変動が吸収されてテンドン２の緊張力が変動するのが防止され、テンドン２の緊張力が過大になってテンドン２が破損等するのを防止する。
【００４４】
この場合、２つの皿ばね１９、１９は、伸縮変形することによって径方向、円周方向に変位することになるが、上側の皿ばね１９の頂部側の角部２５（第１定着板８との接触部）は第１カバー２７で被覆され、下側の皿ばね１９の頂部側の角部２５（第２定着板１５との接触部）は第１カバー２７で被覆され、上側の皿ばね１９の底部側の角部２６（下側の皿ばね１９との接触部）は第２カバー３４で被覆され、下側の皿ばね１９の底部側の角部２６（上側の皿ばね１９との接触部）は第２カバー３４で被覆されているので、上側の皿ばね１９の頂部側の角部２５が第１定着板８と、下側の皿ばね１９の頂部側の角部２５が第２定着板１５と、上側の皿ばね１９の底部側の角部２６が下側の皿ばね１９の底部と、下側の皿ばね１９の底部側の角部２６が上側の皿ばね１９の底部と直接摺動するようなことはない。
【００４５】
従って、上側の皿ばね１９の頂部側の角部２５が第１定着板８と摺動して摩耗が生じるようなことはなく、下側の皿ばね１９の頂部側の角部２５が第２定着板１５と摺動して摩耗が生じるようなことはなく、上側の皿ばね１９の底部側の角部２６が下側の皿ばね１９と摺動して摩耗が生じるようなことはなく、下側の皿ばね１９の底部側の角部２６が上側の皿ばね１９と摺動して摩耗が生じるようなことはないので、各皿ばね１９に摩耗による錆が生じるようなことはなく、錆による各皿ばね１９の強度の低下、機能の低下を防止できることになる。この結果、各皿ばね１９の特性を十分に発揮させることができるので、グラウンドアンカー１としての安定した機能を長期的に発揮できることになる。
【００４６】
さらに、各皿ばね１９の表面に塗装を塗布したり、各皿ばね１９、第１定着板８、第２定着板１５等を油に浸漬させる必要もないので、コストを大幅に削減することができることになる。
【００４７】
なお、前記の各実施の形態においては、弾性部材１８として１つの皿ばね１９、２つの皿ばね１９、１９を用いた例について説明したが、図示はしないが、２つ以上の皿ばねを用いて弾性部材を構成しても良いものであり、その場合にも、同様の作用効果を奏するものである。
【図面の簡単な説明】
【００４８】
【図１】本発明によるグラウンドアンカーの第１の実施の形態を示した縦断面図である。
【図２】図１の皿ばねの斜視図である。
【図３】図２のＡ−Ａ線断面図である。
【図４】図４は第２カバーの断面図である。
【図５】図４のＢ部の拡大図である。
【図６】第２カバーの変形例を示した部分拡大図である。
【図７】第２カバーの断面図である。
【図８】図７のC部の拡大図である。
【図９】本発明によるグラウンドアンカーの第２の実施の形態を示した縦断面図である。
【図１０】従来のグラウンドアンカーの一例を示した縦断面図である。
【図１１】従来のグラウンドアンカーの他の例を示した縦断面図である。
【図１２】従来のグラウンドアンカーの他の例を示した縦断面図である。
【符号の説明】
【００４９】
１  グラウンドアンカー
２  テンドン
５  受圧板
７  定着具
８  第１定着板
１１  支圧板
１３  チャック
１５  第２定着板
１８  弾性部材
１９  皿ばね
２５  角部
２６  角部
２７  第１カバー
３４  第２カバー
【図１】
2006009318.tif 000003
【図２】
2006009318.tif 000004
【図３】
2006009318.tif 000005
【図４】
2006009318.tif 000006
【図５】
2006009318.tif 000007
【図６】
2006009318.tif 000008
【図７】
2006009318.tif 000009
【図８】
2006009318.tif 000010
【図９】
2006009318.tif 000011
【図１０】
2006009318.tif 000012
【図１１】
2006009318.tif 000013
【図１２】
2006009318.tif 000014